(57)【要約】【課題】垂直配向型の液晶表示領域を備える液晶表示装置に関し、保持型の残像が起きにくいようにし、高品質の画像表示を行うことができるようにする。【解決手段】タイミングコントローラ８に黒表示制御部１０を設け、黒表示制御部１０の制御により、Ｎフレーム（例えば、６０フレーム）期間中の（Ｎ−１）フレーム期間は、データドライバ４に表示信号源から供給されるＲＧＢデータ信号を供給し、Ｎフレーム期間中の１フレーム期間は、データドライバ４に黒表示データ信号を供給し、Ｎフレームに１回、黒画面を表示する。【選択図】    図１
2004301984.tif 000002
【特許請求の範囲】
【請求項１】
垂直配向型の液晶表示領域を有する液晶表示装置であって、
前記液晶表示領域の駆動時に、画面の所定領域を黒表示させることができる黒表示制御部を有することを特徴とする液晶表示装置。
【請求項２】
前記黒表示制御部は、一定期間毎に、１又は連続数フレーム期間、画面全域を黒表示させることを特徴とする請求項１記載の液晶表示装置。
【請求項３】
前記黒表示制御部は、一定期間毎に、垂直方向に分割された複数の画面領域を順に選択して、１フレーム期間又は連続数フレーム期間、黒表示させることを特徴とする請求項１記載の液晶表示装置。
【請求項４】
前記黒表示制御部は、一定期間毎に、水平方向に分割された複数の画面領域を順に選択して、１フレーム期間又は連続数フレーム期間、黒表示させることを特徴とする請求項１記載の液晶表示装置。
【請求項５】
前記黒表示制御部は、黒表示を行う期間、黒表示させる画面領域に対応して設けられている光源を消灯させるための信号をバックライトの電源部に与えることを特徴とする請求項１記載の液晶表示装置。
【発明の詳細な説明】
【０００１】
【発明の属する技術分野】
本発明は、垂直配向型の液晶表示領域を備える液晶表示装置に関する。
【０００２】
【従来の技術】
図８は従来の液晶表示装置の一例の要部を示す概略的構成図である（例えば、特許文献１参照）。図８中、１は薄膜トランジスタ（ＴＦＴ）をスイッチング素子として用いたアクティブマトリックス型のカラー液晶表示パネルであり、垂直配向モードで動作するもの、２はカラー液晶表示パネル１の光源をなすバックライト、３はバックライト２の電源をなすインバータである。
【０００３】
４はカラー液晶表示パネル１に形成されているデータ線にＲＧＢ信号を出力するデータドライバ（データ線駆動回路）、５はカラー液晶表示パネル１に形成されているゲート線にゲート信号（走査信号）を出力するゲートドライバ（ゲート線駆動回路）である。
【０００４】
６はタイミングコントローラであり、表示信号源（例えば、コンピュータ）から与えられるドットクロックＤＣＬＫ、垂直同期信号Ｖｓｙｎｃ、表示信号同期信号（表示信号有効領域指定信号）ＥＮＡＢ及びＲＧＢデータ信号Ｒ０〜Ｒ６、Ｇ０〜Ｇ６、Ｂ０〜Ｂ６等を入力してカラー液晶表示パネル１を駆動するために必要な各種の信号をデータドライバ４及びゲートドライバ５に供給するタイミングコントローラである。
【０００５】
図９は図８に示す従来の液晶表示装置の動作を示すタイミングチャートであり、タイミングコントローラ６に入力するドットクロックＤＣＬＫと、タイミングコントローラ６に入力する垂直同期信号Ｖｓｙｎｃと、タイミングコントローラ６に入力する表示信号同期信号ＥＮＡＢと、タイミングコントローラ６に入力するＲＧＢデータ信号と、タイミングコントローラ６からデータドライバ４に与えられるＲＧＢデータ信号を示している。
【０００６】
図８に示す従来の液晶表示装置では、表示信号源から与えられるＲＧＢデータ信号Ｒ０〜Ｒ６、Ｇ０〜Ｇ６、Ｂ０〜Ｂ６は、表示信号同期信号ＥＮＡＢに同期してタイミングコントローラ６に取り込まれ、タイミング調整されてデータドライバ４に供給される。
【０００７】
【特許文献１】特開２０００−１９４３１２号公報
【０００８】
【発明が解決しようとする課題】
図８に示す従来の液晶表示装置においては、カラー液晶表示パネル１として、垂直配向モードで動作する垂直配向型の液晶表示パネルを備えているが、垂直配向型の液晶表示パネルは、画面が切り替わった際、前画面に表示されている階調に「際」が存在し（例えば、背景を黒色として、「際」のあるグレーの物体が表示されている場合）、かつ、次画面が白色表示の場合に、保持型の残像が起き易いという問題点を有していた。
【０００９】
この保持型の残像は、中間調（例えば、グレー）から白に画面が変化する部分では、画面の変化の際に、液晶の配向が乱れてしまう状況がそのまま保持されてしまい、配向が揃っている黒から白に変化する部分との差として見えてしまうことにより発生する。
【００１０】
本発明は、かかる点に鑑み、垂直配向型の液晶表示領域を有する場合であっても、保持型の残像が起きにくいようにし、高品質の画像表示を行うことができるようにした液晶表示装置を提供することを目的とする。
【００１１】
【課題を解決するための手段】
本発明は、垂直配向型の液晶表示領域を有する液晶表示装置であって、前記液晶表示領域の駆動時に、画面の所定領域を黒表示させることができる黒表示制御部を有するというものである。
【００１２】
本発明によれば、液晶表示領域の駆動時に、黒表示制御部により画面を黒表示させることができるので、液晶の配向を揃えることができる。したがって、保持型の残像が起きにくいようにすることができる。
【００１３】
【発明の実施の形態】
以下、図１〜図７を参照して、本発明の第１実施形態〜第３実施形態について説明する。なお、図１、図４及び図６において、図８に対応する部分には同一符号を付し、その重複説明は省略する。
【００１４】
（第１実施形態・・図１〜図３）
図１は本発明の第１実施形態の要部を示す概略的構成図である。本発明の第１実施形態は、図８に示す従来の液晶表示装置が備えるインバータ３及びタイミングコントローラ６と構成の異なるインバータ７及びタイミングコントローラ８を備え、その他については、図８に示す従来の液晶表示装置と同様に構成したものである。
【００１５】
インバータ７は、点灯制御端子９を備え、点灯制御端子９がＬレベルとされる期間は、バックライト２の点灯状態を維持し、点灯制御端子９がＨレベルにされる期間は、バックライト２を消灯状態とするものである。点灯制御端子９には、タイミングコントローラ８から点灯制御信号ＳＡが与えられる。
【００１６】
タイミングコントローラ８は、黒表示制御部１０を備え、黒表示制御部１０から出力されるＲＧＢデータ信号Ｒ０〜Ｒ６、Ｇ０〜Ｇ６、Ｂ０〜Ｂ６をデータドライバ４に供給すると共に、黒表示制御部１０で生成される黒表示制御信号を点灯制御信号ＳＡとして出力するようにし、その他については、従来周知のように構成したものである。
【００１７】
図２は黒表示制御部１０の構成を示す回路図である。図２中、１１は黒表示制御信号ＳＢを生成する黒表示制御信号生成回路であり、１２は表示信号同期信号ＥＮＡＢ（又は垂直同期信号Ｖｓｙｎｃ）とドットクロックＤＣＬＫを入力してフレームの終了部を検出して、１フレームに１個のフレーム終了部検出パルスＳＣを出力するフレーム終了部検出回路である。
【００１８】
１３はフレーム終了部検出部１２から出力されるフレーム終了部検出パルスＳＣをカウントするＮ進パルスカウンタ（Ｎは、例えば、６０）、１４はＮ進パルスカウンタ１３の出力をデコードしてＮフレームに１回、１フレーム期間をＨレベルとする黒表示制御信号ＳＢを出力するデコーダである。
【００１９】
１５はＲＧＢデータ信号Ｒ０〜Ｒ６、Ｇ０〜Ｇ６、Ｂ０〜Ｂ６又は黒表示データ信号を選択してデータドライバ４に供給する３系統２入力１出力型のセレクタであり、ＳＬはセレクト制御信号入力端子、Ａ１〜Ａ３、Ｂ１〜Ｂ３は被選択信号入力端子、Ｘ１〜Ｘ３は出力端子である。
【００２０】
セレクト制御信号入力端子ＳＬには黒表示制御信号ＳＢが与えられ、被選択信号入力端子Ａ１にはＲデータ信号Ｒ０〜Ｒ６が与えられ、被選択信号入力端子Ａ２にはＧデータ信号Ｇ０〜Ｇ６が与えられ、被選択信号入力端子Ａ３にはＢデータ信号Ｂ０〜Ｂ６が与えられ、被選択信号入力端子Ｂ１〜Ｂ３には接地電位０Ｖが与えられる。
【００２１】
セレクタ１５は、黒表示制御信号ＳＢ＝Ｌレベルの場合には、被選択信号入力端子Ａ１〜Ａ３に与えられるＲＧＢデータ信号Ｒ０〜Ｒ６、Ｇ０〜Ｇ６、Ｂ０〜Ｂ６を選択してデータドライバ４に供給し、黒表示制御信号ＳＣ＝Ｈレベルの場合には、被選択信号入力端子Ｂ１〜Ｂ３に与えられる接地電位０Ｖを黒表示データ信号としてデータドライバ４に供給するように構成されている。
【００２２】
図３は本発明の第１実施形態の動作を示すタイミングチャートであり、タイミングコントローラ８に入力するドットクロックＤＣＬＫと、タイミングコントローラ８に入力する垂直同期信号Ｖｓｙｎｃと、タイミングコントローラ８に入力する表示同期信号ＥＮＡＢと、タイミングコントローラ８に入力するＲＧＢデータ信号と、タイミングコントローラ８からデータドライバ４に与えられるＲＧＢデータ信号を示している。
【００２３】
即ち、本発明の第１実施形態においては、黒表示制御信号生成回路１１は、Ｎフレーム（例えば、６０フレーム）に１回、１フレーム期間をＨレベルとする黒表示制御信号ＳＢを出力するので、セレクタ１５は、データドライバ４に対して、Ｎフレーム期間中の（Ｎ−１）フレーム期間は、ＲＧＢデータ信号Ｒ０〜Ｒ６、Ｇ０〜Ｇ６、Ｂ０〜Ｂ６を供給し、Ｎフレーム期間中の１フレーム期間は、黒表示データ信号を供給し、カラー液晶表示パネル１に黒画面が表示されることになる。
【００２４】
また、黒表示制御信号生成回路１１から出力される黒表示制御信号ＳＢが点灯制御信号ＳＡとしてインバータ７の点灯制御端子９に供給される。したがって、黒表示制御部１０の制御によりカラー液晶表示パネル１に黒画面が表示される場合には、バックライト２は消灯状態とされる。
【００２５】
このように、本発明の第１実施形態によれば、Ｎフレーム期間中の１フレーム期間は、カラー液晶表示パネル１に黒画面を表示させるようにしたことにより、垂直配向型のカラー液晶表示パネル１を備えていても、画面全体の液晶の配向を揃え、保持型の残像をキャンセルすることができるので、高品質の画像表示を行うことができる。
【００２６】
また、黒表示制御部１０の制御によりカラー液晶表示パネル１に黒画面が表示される場合には、バックライト２は消灯状態とされるので、黒表示画面を知覚的に認識することを回避することができる。なお、黒表示制御部１０の制御によりカラー液晶表示パネル１に黒画面が表示される場合においても、バックライト２は点灯状態を維持するようにしても良い。
【００２７】
（第２実施形態・・図４、図５）
図４は本発明の第２実施形態の要部を示す概略的構成図である。本発明の第２実施形態は、図８に示す従来の液晶表示装置が備えるインバータ３及びタイミングコントローラ６と構成の異なるインバータ１６及びタイミングコントローラ１７を備え、その他については、図８に示す従来の液晶表示装置と同様に構成したものである。
【００２８】
バックライト２は、カラー液晶表示パネル１の水平ライン数を４ｍ（ｍは、例えば、１９２）とすると、第１〜第ｍ水平ラインに対応して第１の蛍光ランプ、第ｍ＋１〜第２ｍ水平ラインに対応して第２の蛍光ランプ、第２ｍ＋１〜第３ｍ水平ラインに対応して第３の蛍光ランプ、第３ｍ＋１〜第４ｍ水平ラインに対応して第４の蛍光ランプを備えている。インバータ１６は、第１〜第４の蛍光ランプに対応して点灯制御端子１８−１〜１８−４を備えている。
【００２９】
そして、インバータ１６は、点灯制御端子１８−ｉ（但し、ｉ＝１、２、３、４）がＬレベルとされる期間は、第ｉの蛍光ランプの点灯状態を維持し、点灯制御端子１８−ｉがＨレベルにされる期間は、第ｉの蛍光ランプを消灯状態とするように構成されている。点灯制御端子１８−ｉには、タイミングコントローラ１７から点灯制御信号ＳＡｉが与えられる。
【００３０】
タイミングコントローラ１７は、黒表示制御部１９を備え、黒表示制御部１９から出力されるＲＧＢデータ信号Ｒ０〜Ｒ６、Ｇ０〜Ｇ６、Ｂ０〜Ｂ６をデータドライバ４に供給すると共に、黒表示制御部１９において点灯制御信号ＳＡ１〜ＳＡ４を生成するようにし、その他については、従来周知のように構成したものである。
【００３１】
図５は黒表示制御部１９の構成を示す回路図である。図５中、２０は表示信号同期信号ＥＮＡＢ（又は垂直同期信号Ｖｓｙｎｃ）とドットクロックＤＣＬＫを入力して第１の黒表示制御信号ＳＢを生成する黒表示制御信号生成回路であり、図２に示す黒表示制御信号生成回路１１と同一の回路構成とされている。
【００３２】
２１は第２の黒表示制御信号ＳＤを生成する黒表示制御信号生成回路であり、２２は表示信号同期信号ＥＮＡＢ（又はゲートドライバ５用クロックＧＣＬＫ）を入力して水平ライン数を検出し、ｍ本の水平ラインを検出する毎に１個のパルスＳＥを出力する水平ライン数検出回路、２３は水平ライン数検出回路２２から出力されるパルスＳＥをカウントする４進パルスカウンタである。
【００３３】
２４−１は４進パルスカウンタ２３の出力をデコードし、４進パルスカウンタ２３のカウント値が２の間は、Ｌレベルを出力し、それ以外のときは、Ｈレベルを出力するデコーダである。２４−２は４進パルスカウンタ２３の出力をデコードし、４進パルスカウンタ２３のカウント値が３の間は、Ｌレベルを出力し、それ以外のときは、Ｈレベルを出力するデコーダである。
【００３４】
２４−３は４進パルスカウンタ２３の出力をデコードし、４進パルスカウンタ２３のカウント値が４の間は、Ｌレベルを出力し、それ以外のときは、Ｈレベルを出力するデコーダである。２４−４は４進パルスカウンタ２３の出力をデコードし、４進パルスカウンタ２３の出力が１の間は、Ｌレベルを出力し、それ以外のときは、Ｈレベルを出力するデコーダである。
【００３５】
２５−１〜２５−４はＪＫフリップフロップである。ＪＫフリップフロップ２５−１は、Ｊ端子に水平ライン数検出回路２２から出力されるパルスＳＥが与えられ、Ｋ端子にデコーダ２４−１の出力が与えられる。ＪＫフリップフロップ２５−２は、Ｊ端子にデコーダ２４−１の出力が印加され、Ｋ端子にデコーダ２４−２の出力が与えられる。
【００３６】
ＪＫフリップフロップ２５−３は、Ｊ端子にデコーダ２４−２の出力が与えられ、Ｋ端子にデコーダ２４−３の出力が与えられる。ＪＫフリップフロップ２５−４は、Ｊ端子にデコーダ２４−３の出力が与えられ、Ｋ端子にデコーダ２４−４の出力が与えられる。
【００３７】
２６は４入力１出力型のセレクタであり、Ａ〜Ｄは被選択信号入力端子、ＳＬ１、ＳＬ２はセレクト制御信号入力端子である。セレクタ２６は、ＳＬ１＝Ｌレベル、ＳＬ２＝Ｌレベルのときは被選択信号入力端子Ａを選択し、ＳＬ１＝Ｌレベル、ＳＬ２＝Ｈレベルのときは被選択信号入力端子Ｂを選択し、ＳＬ１＝Ｈレベル、ＳＬ２＝Ｌレベルのときは被選択信号入力端子Ｃを選択し、ＳＬ１＝Ｈレベル、ＳＬ２＝Ｈレベルのときは被選択信号入力端子Ｄを選択する。
【００３８】
被選択信号入力端子ＡにはＪＫフリップフロップ２５−１の出力が与えられ、被選択信号入力端子ＢにはＪＫフリップフロップ２５−２の出力が与えられ、被選択信号入力端子ＣにはＪＫフリップフロップ２５−３の出力が与えられ、被選択信号入力端子ＤにはＪＫフリップフロップ２５−４の出力が与えられる。
【００３９】
２７は黒表示領域選定回路であり、黒表示領域選定信号ＳＦ１、ＳＦ２と点灯制御信号ＳＡ１〜ＳＡ４を出力し、黒表示領域選定信号ＳＦ１、ＳＦ２をそれぞれセレクタ２６のセレクト制御信号入力端子ＳＬ１、ＳＬ２に与え、点灯制御信号ＳＡ１〜ＳＡ４をインバータ１６の点灯制御端子１８−１〜１８−４に与えるものである。
【００４０】
黒表示領域選定回路２７は、ＳＦ１＝Ｌレベル、ＳＦ２＝Ｌレベルとなる状態と、ＳＦ１＝Ｌレベル、ＳＦ２＝Ｈレベルとなる状態と、ＳＦ１＝Ｈレベル、ＳＦ２＝Ｌレベルとなる状態と、ＳＦ１＝Ｈレベル、ＳＦ２＝Ｈレベルとなる状態を１個ずつ順にＮフレーム毎に取るものであり、この結果、セレクタ２６は、ＪＫフリップフロップ２５−１〜２５−４の出力を１個ずつ順にＮフレーム毎に選択して出力することになる。
【００４１】
２８は黒表示制御信号生成回路２０から出力される黒表示制御信号ＳＢと黒表示制御信号生成回路２１から出力される黒表示制御信号ＳＤとをＡＮＤ処理するＡＮＤ回路、２９は３系統２入力１出力型のセレクタであり、ＳＬはセレクト制御信号入力端子、Ａ１〜Ａ３、Ｂ１〜Ｂ３は被選択信号入力端子、Ｘ１〜Ｘ３は出力端子である。
【００４２】
セレクト制御信号入力端子ＳＬにはＡＮＤ回路２８の出力が与えられ、被選択信号入力端子Ａ１にはＲデータ信号Ｒ０〜Ｒ６が与えられ、被選択信号入力端子Ａ２にはＧデータ信号Ｇ０〜Ｇ６が与えられ、被選択信号入力端子Ａ３にはＢデータ信号Ｂ０〜Ｂ６が与えられ、被選択信号入力端子Ｂ１〜Ｂ３には接地電位０Ｖが与えられる。
【００４３】
セレクタ２９は、ＡＮＤ回路２８の出力＝Ｌレベルの場合には、被選択信号入力端子Ａ１〜Ａ３に与えられるＲＧＢデータ信号Ｒ０〜Ｒ６、Ｇ０〜Ｇ６、Ｂ０〜Ｂ６を選択してデータドライバ４に供給し、ＡＮＤ回路２８の出力＝Ｈレベルの場合には、被選択信号入力端子Ｂ１〜Ｂ３に与えられる接地電位０Ｖを黒表示データ信号としてデータドライバ４に供給するように構成されている。
【００４４】
本発明の第２実施形態においては、黒表示制御信号生成回路２０は、Ｎフレーム（例えば、６０フレーム）に１回、１フレーム期間をＨレベルとする黒表示制御信号ＳＢを出力し、黒表示制御信号生成回路２１は、ＪＫフリップフロップ２５−１〜２５−４の出力を１個ずつ順にＮフレーム毎に選択して出力することになる。
【００４５】
この結果、ＡＮＤ回路２８は、第Ｎ＋１フレームの第１〜第ｍ水平ラインの走査期間の間、Ｈレベルを出力し、第２Ｎ＋１フレームの第ｍ＋１〜第２ｍ水平ラインの走査期間の間、Ｈレベルを出力し、第３Ｎ＋１フレームの第２ｍ＋１〜第３ｍ水平ラインの走査期間の間、Ｈレベルを出力し、第４Ｎ＋１フレームの第３ｍ＋１〜第４ｍ水平ラインの走査期間の間、Ｈレベルを出力し、以下、この動作を繰り返す。
【００４６】
即ち、第１〜第ｍ水平ラインの領域、第ｍ＋１〜第２ｍ水平ラインの領域、第２ｍ＋１〜第３ｍ水平ラインの領域、第３ｍ＋１〜第４ｍ水平ラインの領域が１個ずつ順にＮフレーム毎に黒表示されることになる。
【００４７】
そこで、本例では、黒表示領域選定回路２７は、第１〜第ｍ水平ラインの領域を黒表示するときは、第１の蛍光ランプを消灯させ、第ｍ＋１〜第２ｍ水平ラインの領域を黒表示するときは、第２の蛍光ランプを消灯させ、第２ｍ＋１〜第３ｍ水平ラインの領域を黒表示するときは、第３の蛍光ランプを消灯させ、第３ｍ＋１〜第４ｍ水平ラインの領域を黒表示するときは、第４の蛍光ランプを消灯させるように、点灯制御信号ＳＡ１〜ＳＡ４を出力するように構成される。
【００４８】
このように、本発明の第２実施形態によれば、垂直方向に４分割した画面領域を１領域ずつ順にＮフレーム毎に黒画面を表示させることができるので、垂直配向型のカラー液晶表示パネル１を備えていても、画面全体の液晶の配向を揃え、保持型の残像をキャンセルすることができる。したがって、高品質の画像表示を行うことができる。
【００４９】
また、黒表示領域選定回路２７が出力する点灯制御信号ＳＡ１〜ＳＡ４により黒表示される画面領域に対応して設けられている蛍光管を消灯させることができるので、黒表示画面を知覚的に認識することを回避することができる。なお、黒表示制御部１９の制御によりカラー液晶表示パネル１に黒画面が表示される場合においても、バックライト２は点灯状態を維持するようにしても良い。
【００５０】
（第３実施形態・・図６、図７）
図６は本発明の第３実施形態の要部を示す概略的構成図である。本発明の第３実施形態は、図８に示す従来の液晶表示装置が備えるバックライト２、インバータ３及びタイミングコントローラ６と構成の異なるバックライト２Ａ、インバータ３０及びタイミングコントローラ３１を備え、その他については、図８に示す従来の液晶表示装置と同様に構成したものである。
【００５１】
バックライト２Ａは、カラー液晶表示パネル１の垂直ライン数を４ｎ（ｎは、例えば、２５６）とすると、第１〜第ｎ垂直ラインに対応して第１の蛍光ランプ、第ｎ＋１〜第２ｎ垂直ラインに対応して第２の蛍光ランプ、第２ｎ＋１〜第３ｎ垂直ラインに対応して第３の蛍光ランプ、第３ｎ＋１〜第４ｎ垂直ラインに対応して第４の蛍光ランプを備えている。インバータ３０は、第１〜第４の蛍光ランプに対応してそれぞれ点灯制御端子３２−１〜３２−４を備えている。
【００５２】
そして、インバータ３０は、点灯制御端子３２−ｉ（但し、ｉ＝１、２、３、４）がＬレベルとされる期間は、第ｉの蛍光ランプの点灯状態を維持し、点灯制御端子３２−ｉがＨレベルにされる期間は、第ｉの蛍光ランプを消灯状態とするように構成されている。点灯制御端子３２−ｉには、タイミングコントローラ３１から点灯制御信号ＳＧｉが与えられる。
【００５３】
タイミングコントローラ３１は、黒表示制御部３３を備え、黒表示制御部３３から出力されるＲＧＢデータ信号Ｒ０〜Ｒ６、Ｇ０〜Ｇ６、Ｂ０〜Ｂ６をデータドライバ４に供給すると共に、黒表示制御部３３において点灯制御信号ＳＧ１〜ＳＧ４を生成するようにし、その他については、従来周知のように構成したものである。
【００５４】
図７は黒表示制御部３３の構成を示す回路図である。図７中、３４は表示信号同期信号ＥＮＡＢ（又は垂直同期信号Ｖｓｙｎｃ）とドットクロックＤＣＬＫを入力して第１の黒表示制御信号ＳＢを生成する黒表示制御信号生成回路であり、図２に示す黒表示制御信号生成回路１１と同一の回路構成とされている。
【００５５】
３５は第２の黒表示制御信号ＳＨを生成する黒表示制御信号生成回路であり、３６は表示信号同期信号ＥＮＡＢ（又はゲートクロックＧＣＬＫ）とドットクロックＤＣＬＫを入力してドット数を検出し、ｎ個のドットを検出する毎に１個のパルスＳＩを出力するドット数検出回路、３７はドット数検出回路３７から出力されるパルスＳＩをカウントする４進パルスカウンタである。
【００５６】
３８−１は４進パルスカウンタ３７の出力をデコードし、４進パルスカウンタ３７のカウント値が２の間は、Ｌレベルを出力し、それ以外のときは、Ｈレベルを出力するデコーダである。３８−２は４進パルスカウンタ３７の出力をデコードし、４進パルスカウンタ３７のカウント値が３の間は、Ｌレベルを出力し、それ以外のときは、Ｈレベルを出力するデコーダである。
【００５７】
３８−３は４進パルスカウンタ３７の出力をデコードし、４進パルスカウンタ３８のカウント値が４の間は、Ｌレベルを出力し、それ以外のときは、Ｈレベルを出力するデコーダである。３８−４は４進パルスカウンタ３７の出力をデコードし、４進パルスカウンタ３７のカウント値が１の間は、Ｌレベルを出力し、それ以外のときは、Ｈレベルを出力するデコーダである。
【００５８】
３９−１〜３９−４はＪＫフリップフロップである。ＪＫフリップフロップ３９−１は、Ｊ端子にドット数検出回路３６から出力されるパルスＳＩが与えられ、Ｋ端子にデコーダ３８−１の出力が与えられる。ＪＫフリップフロップ３９−２は、Ｊ端子にデコーダ３８−１の出力が与えられ、Ｋ端子にデコーダ３８−２の出力が与えられる。
【００５９】
ＪＫフリップフロップ３９−３は、Ｊ端子にデコーダ３９−２の出力が与えられ、Ｋ端子にデコーダ３８−３の出力が与えられる。ＪＫフリップフロップ３９−４は、Ｊ端子にデコーダ３８−３の出力が与えられ、Ｋ端子にデコーダ３８−４の出力が与えられる。
【００６０】
４０は４入力１出力型のセレクタであり、Ａ〜Ｄは被選択信号入力端子、ＳＬ１、ＳＬ２はセレクト制御信号入力端子である。セレクタ４０は、ＳＬ１＝Ｌレベル、ＳＬ２＝Ｌレベルのときは被選択信号入力端子Ａを選択し、ＳＬ１＝Ｌレベル、ＳＬ２＝Ｈレベルのときは被選択信号入力端子Ｂを選択し、ＳＬ１＝Ｈレベル、ＳＬ２＝Ｌレベルのときは被選択信号入力端子Ｃを選択し、ＳＬ１＝Ｈレベル、ＳＬ２＝Ｈレベルのときは被選択信号入力端子Ｄを選択する。
【００６１】
被選択信号入力端子ＡにはＪＫフリップフロップ３９−１の出力が与えられ、被選択信号入力端子ＢにはＪＫフリップフロップ３９−２の出力が与えられ、被選択信号入力端子ＣにはＪＫフリップフロップ３９−３の出力が与えられ、被選択信号入力端子ＤにはＪＫフリップフロップ３９−４の出力が与えられる。
【００６２】
４１は黒表示領域選定回路であり、黒表示領域選定信号ＳＪ１、ＳＪ２と点灯制御信号ＳＧ１〜ＳＧ４を出力し、黒表示領域選定信号ＳＪ１、ＳＪ２をそれぞれセレクタ４０のセレクト制御信号入力端子ＳＬ１、ＳＬ２に印加し、点灯制御信号ＳＧ１〜ＳＧ４をインバータ３０の点灯制御端子３２−１〜３２−４に供給するものである。
【００６３】
黒表示領域選定回路４１は、ＳＪ１＝Ｌレベル、ＳＪ２＝Ｌレベルとなる状態と、ＳＪ１＝Ｌレベル、ＳＪ２＝Ｈレベルとなる状態と、ＳＪ１＝Ｈレベル、ＳＪ２＝Ｌレベルとなる状態と、ＳＪ１＝Ｈレベル、ＳＪ２＝Ｈレベルとなる状態を１水平走査毎に順に１ずつ取るものであり、この結果、セレクタ４０は、ＪＫフリップフロップ３９−１〜３９−４の出力を水平走査毎に順に１個ずつ選択して出力することになる。
【００６４】
４２は黒表示制御信号生成回路３４から出力される黒表示制御信号ＳＢと黒表示制御信号生成回路３５から出力される黒表示制御信号ＳＨとをＡＮＤ処理するＡＮＤ回路、４３は３系統２入力１出力型のセレクタであり、ＳＬはセレクト制御信号入力端子、Ａ１〜Ａ３、Ｂ１〜Ｂ３は被選択信号入力端子、Ｘ１〜Ｘ３は出力端子である。
【００６５】
セレクト制御信号入力端子ＳＬにはＡＮＤ回路４２の出力が与えられ、被選択信号入力端子Ａ１にはＲデータ信号Ｒ０〜Ｒ６が与えられ、被選択信号入力端子Ａ２にはＧデータ信号Ｇ０〜Ｇ６が与えられ、被選択信号入力端子Ａ３にはＢデータ信号Ｂ０〜Ｂ６が与えられ、被選択信号入力端子Ｂ１〜Ｂ３には接地電位０Ｖが与えられる。
【００６６】
セレクタ４３は、ＡＮＤ回路４２の出力＝Ｌレベルの場合には、被選択信号入力端子Ａ１〜Ａ３に与えられるＲＧＢデータ信号Ｒ０〜Ｒ６、Ｇ０〜Ｇ６、Ｂ０〜Ｂ６を選択してデータドライバ４に供給し、ＡＮＤ回路４２の出力＝Ｈレベルの場合には、被選択信号入力端子Ｂ１〜Ｂ３に与えられる接地電位０Ｖを黒表示データ信号としてデータドライバ４に供給するように構成されている。
【００６７】
本発明の第３実施形態においては、黒表示制御信号生成回路３４は、Ｎフレーム（例えば、６０フレーム）に１回、１フレーム期間をＨレベルとする黒表示制御信号ＳＢを出力し、黒表示制御信号生成回路３５は、ＪＫフリップフロップ３９−１〜３９−４の出力を１水平走査後毎に順に１個ずつ選択して出力することになる。
【００６８】
この結果、ＡＮＤ回路４２は、第Ｎ＋１フレームの第１〜第ｎ垂直ラインの走査期間の間、Ｈレベルを出力し、第２Ｎ＋１フレームの第ｎ＋１〜第２ｎ垂直ラインの走査期間の間、Ｈレベルを出力し、第３Ｎ＋１フレームの第２ｎ＋１〜第３ｎ垂直ラインの走査期間の間、Ｈレベルを出力し、第４Ｎ＋１フレームの第３ｎ＋１〜第４ｎ垂直ラインの走査期間の間、Ｈレベルを出力し、以下、この動作を繰り返す。
【００６９】
即ち、第１〜第ｎ垂直ラインの領域、第ｎ＋１〜第２ｎ垂直ラインの領域、第２ｎ＋１〜第３ｎ垂直ラインの領域、第３ｎ＋１〜第４ｎ垂直ラインの走査期間の領域が１個ずつ順にＮフレーム毎に黒表示されることになる。
【００７０】
そこで、本例では、黒表示領域選定回路４１は、第１〜第ｎ垂直ラインの領域を黒表示するときは、第１の蛍光ランプを消灯させ、第ｎ＋１〜第２ｎ垂直ラインの領域を黒表示するときは、第２の蛍光ランプを消灯させ、第２ｎ＋１〜第３ｎ垂直ラインの領域を黒表示するときは、第３の蛍光ランプを消灯させ、第３ｎ＋１〜第４ｎ垂直ラインの領域を黒表示するときは、第４の蛍光ランプを消灯させるように、点灯制御信号ＳＧ１〜ＳＧ４を出力するように構成される。
【００７１】
このように、本発明の第３実施形態によれば、水平方向に４分割した画面領域をＮフレーム毎に１領域ずつ順に黒画面を表示させることができるので、垂直配向型のカラー液晶表示パネル１を備えていても、画面全体の液晶の配向を揃え、保持型の残像をキャンセルすることができる。したがって、高品質の画像表示を行うことができる。
【００７２】
また、黒表示領域選定回路４１が出力する点灯制御信号ＳＧ１〜ＳＧ４により黒表示される画面領域に対応して設けられている蛍光管を消灯させることができるので、黒表示画面を知覚的に認識することを回避することができる。なお、黒表示制御部３３の制御によりカラー液晶表示パネル１に黒画面が表示される場合においても、バックライト２Ａは点灯状態を維持するようにしても良い。
【００７３】
なお、本発明の第１実施形態〜第３実施形態においては、Ｎフレーム毎に１フレーム期間の間、画面の全領域又は一部領域を黒表示するようにしているが、この代わりに、Ｎフレーム毎に連続数フレーム期間、画面の全領域又は一部領域を黒表示するようにしても良い。
【００７４】
【発明の効果】
以上のように、本発明によれば、液晶表示領域の駆動時に、黒表示制御部により画面を黒表示させることができるので、液晶の配向を揃えることができ、垂直配向型の液晶表示領域を有する場合であっても、保持型の残像が起きにくいようにし、高品質の画像表示を行うことができる。
【図面の簡単な説明】
【図１】本発明の第１実施形態の要部を示す概略的構成図である。
【図２】本発明の第１実施形態が備えるタイミングコントローラ内の黒表示制御部の構成を示す回路図である。
【図３】本発明の第１実施形態の動作を示すタイミングチャートである。
【図４】本発明の第２実施形態の要部を示す概略的構成図である。
【図５】本発明の第２実施形態が備えるタイミングコントローラ内の黒表示制御部の構成を示す回路図である。
【図６】本発明の第３実施形態の要部を示す概略的構成図である。
【図７】本発明の第３実施形態が備えるタイミングコントローラ内の黒表示制御部の構成を示す回路図である。
【図８】従来の液晶表示装置の一例の要部を示す概略的構成図である。
【図９】図８に示す従来の液晶表示装置の動作を示すタイミングチャートである。
【符号の説明】
１・・・液晶表示パネル
２・・・バックライト
２Ａ・・・バックライト
３・・・インバータ
４・・・データドライバ（データ線駆動回路）
５・・・ゲートドライバ（ゲート線駆動回路）
６・・・タイミングコントローラ
７・・・インバータ
８・・・タイミングコントローラ
９・・・点灯制御端子
１０・・・黒表示制御部
１６・・・インバータ
１７・・・タイミングコントローラ
１８−１〜１８−４・・・点灯制御端子
１９・・・黒表示制御部
３０・・・インバータ
３１・・・タイミングコントローラ
３２−１〜３２−４・・・点灯制御端子
３３・・・黒表示制御部
【図１】
2004301984.tif 000003
【図２】
2004301984.tif 000004
【図３】
2004301984.tif 000005
【図４】
2004301984.tif 000006
【図５】
2004301984.tif 000007
【図６】
2004301984.tif 000008
【図７】
2004301984.tif 000009
【図８】
2004301984.tif 000010
【図９】
2004301984.tif 000011